(57)【要約】【課題】表示品質を向上させうる液晶表示装置及び液晶表示装置の駆動方法を提供する。【解決手段】原画像データＤＡＴ及び原画像データＤＡＴを補正するための変換データセットＬＵＴ＿ＡＣＣを提供するグラフィックコントローラ１０１と、入力された原画像データＤＡＴを、変換データセットＬＵＴ＿ＡＣＣを用いて補正し、補正画像データＤＡＴ’を出力するタイミングコントローラ２０１と、補正画像データＤＡＴ’を受信して、補正画像データＤＡＴ’に対応する階調電圧を選択して提供するデータドライバ、及び階調電圧の電圧レベルに応じて映像を表示する液晶パネルと、を備える液晶表示装置。【選択図】図２
2008096954.tif 000002
【特許請求の範囲】
【請求項１】
原画像データ及び前記原画像データを補正するための変換データセットを提供するグラフィックコントローラと、
入力された前記原画像データを、前記変換データセットを用いて補正し、補正画像データを出力するタイミングコントローラと、
前記補正画像データを受信して、前記補正画像データに対応する階調電圧を選択して提供するデータドライバと、
前記階調電圧の電圧レベルに応じて映像を表示する液晶パネルと、
を備えることを特徴とする液晶表示装置。
【請求項２】
前記変換データセットは、前記複数のソース画像データと一対一で対応する複数の変換データを含み、前記原画像データは、ｍビットであり、前記変換データは、ｎビット（ｎ≧ｍ）であることを特徴とする請求項１に記載の液晶表示装置。
【請求項３】
前記変換データは、前記原画像データが有するガンマ特性と異なるガンマ特性を有するデータであることを特徴とする請求項２に記載の液晶表示装置。
【請求項４】
原始ガンマ曲線は、前記原画像データのグレイに対応する透過率を有する曲線であり、ターゲットガンマ曲線は、前記原画像データのグレイに対応して前記原始ガンマ曲線の透過率と異なる透過率を有する曲線であって、前記提供される原画像データのグレイに対応して前記ターゲットガンマ曲線上に特定透過率が存在するとき、前記変換データのグレイは、前記原始ガンマ曲線上の前記特定透過率に対応するグレイであることを特徴とする請求項２に記載の液晶表示装置。
【請求項５】
前記タイミングコントローラは、
前記原画像データを受信して、前記変換データセットのうち、前記原画像データに対応する前記ｎビットの変換データを出力するガンマ変換部と、
前記ｎビットの変換データを受信して、ｍビットの前記補正画像データを出力するディザリング処理部と、
を備えることを特徴とする請求項４に記載の液晶表示装置。
【請求項６】
前記変換データセットは、Ｒ、Ｇ、Ｂ各色の前記原画像データ各々に対応するＲ変換データセット、Ｇ変換データセット、及びＢ変換データセットを備え、
前記Ｒ変換データセット、Ｇ変換データセット、及びＢ変換データセットは、各々前記複数のＲ、Ｇ、Ｂ各色の原画像データと一対一で対応する複数のＲ変換データ、Ｇ変換データ、及びＢ変換データを含み、
前記各Ｒ、Ｇ、Ｂ各色の原画像データはｍビットであり、前記各Ｒ変換データ、Ｇ変換データ、及びＢ変換データはｎビット（ｎ≧ｍ）であることを特徴とする請求項１に記載の液晶表示装置。
【請求項７】
前記タイミングコントローラは、
前記Ｒ原画像データを受信して、前記Ｒ変換データセットから前記Ｒ原画像データに対応する前記ｎビットのＲ変換データを出力するＲガンマ変換部と、
前記Ｇ原画像データを受信して、前記Ｇ変換データセットから前記Ｇ原画像データに対応する前記ｎビットのＧ変換データを出力するＧガンマ変換部と、
前記Ｂ原画像データを受信して、前記Ｂ変換データセットから前記Ｂ原画像データに対応する前記ｎビットのＢ変換データを出力するＢガンマ変換部と、
前記ｎビットのＲ変換データ、Ｇ変換データ、及びＢ変換データを各々受信して、ｍビットのＲ補正画像データ、Ｇ補正画像データ、及びＢ補正画像データを出力するディザリング処理部と、
を備えることを特徴とする請求項６に記載の液晶表示装置。
【請求項８】
前記変換データセットは、第１フレームの前記原画像データと、前記第１フレームの前の第２フレームの前記原画像データとの対（ｐａｉｒ）に対応する変換データを含むことを特徴とする請求項１に記載の液晶表示装置。
【請求項９】
前記タイミングコントローラは、前記第１フレームの前記原画像データのグレイと前記第２フレームの前記原画像データのグレイとの差が基準値以上であるとき、前記変換データを用いて前記第１フレームの前記原画像データを補正して前記補正画像データを出力することを特徴とする請求項８に記載の液晶表示装置。
【請求項１０】
前記グラフィックコントローラは、前記原画像データを提供しないフレームブランク区間に前記変換データセットを提供することを特徴とする請求項１に記載の液晶表示装置。
【請求項１１】
前記グラフィックコントローラは、前記フレームブランク区間を開始した後、マスキングビット、前記変換データセットの特性を示すフラグ、前記変換データセットを順次に提供することを特徴とする請求項１０に記載の液晶表示装置。
【請求項１２】
原画像データ及び前記原画像データを補正するための第１変換データセット及び第２変換データセットを提供するグラフィックコントローラと、
入力された前記原画像データを、前記第１変換データセットを用いて第１補正画像データに変換し、第１フレームの前記第１補正画像データ、前記第１フレームの前の第２フレームの前記第１補正画像データ、及び第２変換データセットを用いて前記第１フレームの前記第１補正画像データを第２補正画像データに変換するタイミングコントローラと、
前記第２補正画像データを受信して、前記第２補正画像データに対応する階調電圧を選択して出力するデータドライバと、
前記階調電圧の電圧レベルに応じて映像を表示する液晶パネルと、
を備えることを特徴とする液晶表示装置。
【請求項１３】
前記グラフィックコントローラは、前記原画像データを提供しないフレームブランク区間に前記第１変換データセット及び前記第２変換データセットを提供することを特徴とする請求項１２に記載の液晶表示装置。
【請求項１４】
前記第１変換データセットは、前記複数の原画像データと一対一で対応する複数の第１変換データを含み、前記原画像データはｍビットであり、前記第１変換データはｎビット（ｎ≧ｍ）であり、
前記第２変換データセットは、第１フレームの前記第１補正画像データ及び前記第２フレームの第１補正画像データの対と対応する複数の第２変換データと、
を含むことを特徴とする請求項１３に記載の液晶表示装置。
【請求項１５】
原始ガンマ曲線は、前記原画像データのグレイに対応する透過率を有する曲線であり、ターゲットガンマ曲線は、前記原画像データのグレイに対応して前記原始ガンマ曲線の透過率と異なる透過率を有する曲線であって、
前記提供される原画像データのグレイに対応して前記ターゲットガンマ曲線上に特定透過率が存在するとき、前記第１変換データのグレイは、前記原始ガンマ曲線上の前記特定透過率と対応するグレイであることを特徴とする請求項１４に記載の液晶表示装置。
【請求項１６】
前記タイミングコントローラは、前記第１フレームの前記第１補正画像データのグレイと前記第２フレームの第１補正画像データのグレイとの差が基準値以上であるとき、前記第２変換データを用いて前記第１フレームの前記第１補正画像データを前記第２補正画像データに変換することを特徴とする請求項１４に記載の液晶表示装置。
【請求項１７】
前記タイミングコントローラは、
前記第１変換データセットを保存する第１メモリ部と、
前記第２変換データセットを保存する第２メモリ部と、
前記原画像データを受信して、前記第１変換データセットから前記原画像データに対応する前記ｎビットの変換データを出力するガンマ変換部と、
前記ｎビットの変換データを受信してｍビットの前記第１補正画像データを出力するディザリング処理部と、
前記第２変換データセットから前記第１フレームの前記第１補正画像データ及び前記第２フレームの前記第１補正画像データの組合わせに対応する前記第２変換データを用いて前記第１フレームの前記第１補正画像データを前記第２補正画像データに変換して出力するデータ変換部と、
を備えることを特徴とする請求項１４に記載の液晶表示装置。
【請求項１８】
前記グラフィックコントローラは、前記フレームブランク区間の開始後、マスキングビット、前記第１変換データセットの特性を示す第１フラグ、前記第１変換データセット、前記第２変換データセットを示す第２フラグ、及び前記第２変換データセットを順次に提供することを特徴とする請求項１３に記載の液晶表示装置。
【請求項１９】
原画像データ及び前記原画像データを補正するための変換データセットを提供するステップと、
前記変換データセットを用いて入力された前記原画像データを補正し、補正画像データを出力するステップと、
前記補正画像データに対応する階調電圧を選択して提供するステップと、
前記階調電圧の電圧レベルに応じて映像を表示するステップと、
を含むことを特徴とする液晶表示装置の駆動方法。
【請求項２０】
前記変換データセットは、前記複数の原画像データと一対一で対応する複数の変換データを含み、前記原画像データはｍビットであり、前記変換データはｎビット（ｎ≧ｍ）であることを特徴とする請求項１９に記載の液晶表示装置の駆動方法。
【請求項２１】
前記変換データセットを提供するステップは、前記原画像データを提供しないフレームブランク区間に前記変換データセットを提供することを特徴とする請求項２０に記載の液晶表示装置の駆動方法。
【請求項２２】
前記変換データセットを提供するステップは、前記フレームブランク区間の開始後、ビットマスキングし、前記変換データセットの特性を示すフラグを提供し、前記変換データセットを提供することを特徴とする請求項２１に記載の液晶表示装置の駆動方法。
【発明の詳細な説明】
【技術分野】
【０００１】
本発明は、液晶表示装置及びその駆動方法に係り、より詳細には、表示品質を向上させうる液晶表示装置及びその駆動方法に関する。
【背景技術】
【０００２】
液晶表示装置は、テレビ（以下、ＴＶと称する）などの表示装置分野で大画面化、軽量化、薄型化の要求によって開発され、ＴＶ、ＰＣのモニタなどに実用化されている。
【０００３】
特に、液晶ＴＶの場合、表示品質の向上のために、グラフィックコントローラ及びタイミングコントローラが外部から入力される画像データ（映像データ）を信号処理する。このような信号処理過程は、ガンマ補正（ｇａｍｍａ  ｃｏｒｒｅｃｔｉｏｎ）過程を含むが、ガンマ補正過程は、ビット拡張が必須的である。グラフィックコントローラで信号処理された画像データは、タイミングコントローラに提供され、タイミングコントローラで液晶パネルの特性に合わせて再び信号処理されるが、タイミングコントローラ及びデータドライバが処理しうる映像データのビットは制限されている。すなわち、グラフィックコントローラ及びタイミングコントローラで、表示品質向上のためにビット拡張によって信号処理する場合、グラフィックコントローラ及びタイミングコントローラで、各々ディザリング（ｄｉｔｈｅｒｉｎｇ）処理によって映像データのビットを縮小させる必要がある。
【０００４】
したがって、グラフィックコントローラでも映像データをディザリング処理し、タイミングコントローラでもディザリング処理をしなければならないので、このような信号処理過程でノイズが発生して表示品質が低下するという問題がある。
【特許文献１】特開２００５−３５４５３２号公開
【発明の開示】
【発明が解決しようとする課題】
【０００５】
本発明が解決しようとする技術的課題は、表示品質を向上させうる液晶表示装置を提供することである。
【０００６】
本発明が解決しようとする他の技術的課題は、表示品質を向上させうる液晶表示装置の駆動方法を提供することである。
【０００７】
本発明の目的は、前記言及した目的に制限されず、言及されていない他の目的は下の記載から当業者に明確に理解されうる。
【課題を解決するための手段】
【０００８】
前記技術的課題を達成するための本発明の一態様による液晶表示装置は、原画像データ及び前記原画像データを補正するための変換データセットを提供するグラフィックコントローラと、入力された前記原画像データを、前記変換データセットを用いて補正し、補正画像データを出力するタイミングコントローラと、前記補正画像データを受信して、前記補正画像データに対応する階調電圧を選択して提供するデータドライバ及び前記階調電圧の電圧レベルに応じて映像を表示する液晶パネルと、を備える。
【０００９】
前記技術的課題を達成するための本発明の他の態様による液晶表示装置は、原画像データ及び前記原画像データを補正するための第１変換データセット及び第２変換データセットを提供するグラフィックコントローラと、入力された前記原画像データを、前記第１変換データセットを用いて第１補正画像データに変換し、第１フレームの前記第１補正画像データ、前記第１フレームの前の第２フレームの前記第１補正画像データ、及び第２変換データセットを用いて前記第１フレームの前記第１補正画像データを第２補正画像データに変換するタイミングコントローラと、前記第２補正画像データを受信して、前記第２補正画像データに対応する階調電圧を選択して出力するデータドライバ及び前記階調電圧の電圧レベルに応じて映像を表示する液晶パネルを備える。
【００１０】
前記他の技術的課題を達成するための本発明の一態様による液晶表示装置の駆動方法は、原画像データ及び前記原画像データを補正するための変換データセットを提供するステップと、前記変換データセットを用いて入力された前記原画像データを補正し、補正画像データを出力するステップと、前記補正画像データに対応する階調電圧を選択して提供するステップ及び前記階調電圧の電圧レベルに応じて映像を表示するステップと、を含む。
【発明の効果】
【００１１】
本発明の液晶表示装置及びその駆動方法によれば、次のような効果が得られる。
【００１２】
第１に、複数のディザリング処理によるノイズ発生を防止して表示品質を向上しうる。
【００１３】
第２に、フレーム毎に変換データセットをアップデートして最適の映像を提供しうる。
【発明を実施するための最良の形態】
【００１４】
本発明の利点及び特徴、そして本発明の目的を達成する方法は、添付された図面に基づいて詳細に後述されている実施形態を参照すれば明確になる。しかし、本発明は、以下で開示される実施形態に限定されるものではなく、多様な形に具現できる。本明細書で説明する実施形態は、本発明の開示を完全にし、本発明が属する技術分野における当業者に発明の範ちゅうを完全にしらせるために提供されるものであり、本発明は特許請求の記載に基づいて決めなければならない。なお、明細書全体にわたり同一の参照符号は、同一な構成要素を示すものとする。
【００１５】
以下、グラフィックコントローラからタイミングコントローラに提供される変換データセットは、フレームブランク（ｆｌａｍｅ  ｂｌａｎｋ）区間、すなわち、原画像データを提供しないフレーム区間で提供する場合を例として説明する。したがって、変換データセットの提供と原画像データの提供とを区別するために、図面においては、変換データセットの提供を表す信号は点線で示す。
【００１６】
図１は、本実施形態による液晶表示装置を説明するためのブロック図である。
【００１７】
図１を参照すれば、液晶表示装置１０は、グラフィックコントローラ１００、タイミングコントローラ２００、メモリ部３００、データドライバ（データ駆動部）４００、ゲートドライバ（ゲート駆動部）５００、液晶パネル６００、及び階調電圧発生部７００を備える。液晶表示装置１０は、例えば、液晶ＴＶであ。
【００１８】
グラフィックコントローラ１００は、変換データセットＬＵＴと原画像データＤＡＴ及び各種クロック信号（ＤＥ、Ｈｓｙｎｃ、Ｖｓｙｎｃ、Ｍｃｌｋ）をタイミングコントローラ２００に提供する。
【００１９】
変換データセットＬＵＴは、複数の原画像データＤＡＴと一対一で対応する複数の変換データ（ＤＡＴ＿ＡＣＣ、ＤＡＴ＿ＤＣＣ）を含む。ここで、原画像データＤＡＴは、画像信号（Ｒ、Ｇ、Ｂ）に対するデータであって、ｍビットである。また、変換データ（ＤＡＴ＿ＡＣＣ、ＤＡＴ＿ＤＣＣ）は、ｎビット（ｎ≧ｍ）であり得る。変換データ（ＤＡＴ＿ＡＣＣ、ＤＡＴ＿ＤＣＣ）は、例えば、ガンマ補正の例として原画像データＤＡＴのガンマ特性を変換（Ａｄａｐｔｉｖｅ  Ｃｏｌｏｒ  Ｃｏｒｒｅｃｔｉｏｎ：ＡＣＣ）するためのデータであるか、または、液晶の応答速度向上（Ｄｙｎａｍｉｃ  Ｃａｐａｃｉｔａｎｃｅ  Ｃｏｍｐｅｎｓａｔｉｏｎ：ＤＣＣ）のためのデータである。グラフィックコントローラ１００は、原画像データＤＡＴに対してガンマ特性の変化及び応答速度向上のためのデータ変換をせず、ガンマ特性の変化または応答速度向上のための変換データセットＬＵＴをタイミングコントローラ２００に提供する。グラフィックコントローラ１００は、このような変換データセットＬＵＴを１フレーム中のフレームブランク区間、すなわち、原画像データＤＡＴを提供しない区間で、タイミングコントローラ２００に提供する。
【００２０】
一方、各種クロック信号（ＤＥ、Ｈｓｙｎｃ、Ｖｓｙｎｃ、Ｍｃｌｋ）は、例えば、原画像データＤＡＴが出力される区間の間に、信号レベルをハイレベルに維持することで、グラフィックコントローラ１００からタイミングコントローラ２００に提供される信号が原画像データＤＡＴであることを知らせるデータイネーブル信号（ＤＥ）、１フレームの開始を知らせる垂直同期信号Ｖｓｙｎｃ、ゲートラインを区別する水平同期信号Ｈｓｙｎｃ、メインクロック（Ｍｃｌｋ）などの信号を含む。
【００２１】
タイミングコントローラ２００は、変換データセットＬＵＴを用いて原画像データＤＡＴを補正して補正画像データＤＡＴ’を出力する。
【００２２】
さらに具体的に説明すれば、タイミングコントローラ２００は、フレームブランク区間に提供された変換データセットＬＵＴをメモリ部３００に保存する。次いで、ｍビットの原画像データＤＡＴが入力されれば、メモリ部３００に保存された変換データセットＬＵＴから、入力された原画像データＤＡＴに対応するｎビットの変換データ（ＤＡＴ＿ＡＣＣ、ＤＡＴ＿ＤＣＣ）を読出し、変換データ（ＤＡＴ＿ＡＣＣ，ＤＡＴ＿ＤＣＣ）を用いて原画像データＤＡＴを補正する。次いで、ｍビットの補正画像データＤＡＴ’をデータドライバ４００に出力する。特に、タイミングコントローラ２００がｍビットの原画像データＤＡＴのガンマ特性を変換させる場合、ｍより大きなｎビットの変換データＤＡＴ＿ＡＣＣ，ＤＡＴ＿ＤＣＣを利用する。すなわち、タイミングコントローラ２００は、ビット拡張によってガンマを補正し、ディザリング処理によって再びビットを縮小し、ｍビットの補正画像データＤＡＴ’を出力する。
【００２３】
また、タイミングコントローラ２００は、ゲート制御信号ＣＯＮＴ１をゲートドライバ５００に提供し、データ制御信号ＣＯＮＴ２をデータドライバ４００に提供する。
【００２４】
ここで、ゲート制御信号ＣＯＮＴ１は、ゲートドライバ５００の動作を制御するための信号であって、ゲートドライバ５００の動作を開始する垂直同期開始信号（ｖｅｒｔｉｃａｌ  ｓｙｎｃｈｒｏｎｉｚａｔｉｏｎ  ｓｔａｒｔ  ｓｉｇｎａｌ）、ゲートオン電圧の出力時期を決定するゲートクロック信号、及びゲートオン電圧のパルス幅を決定する出力イネーブル信号などの信号を含む。
【００２５】
データ制御信号ＣＯＮＴ２は、データドライバ４００の動作を制御する信号であって、データドライバ４００の動作を開始する水平同期開始信号（ｈｏｒｉｚｏｎｔａｌ  ｓｙｎｃｈｒｏｎｉｚａｔｉｏｎ  ｓｔａｒｔ  ｓｉｇｎａｌ）、データ電圧の出力を指示する出力指示信号などの信号を含む。
【００２６】
データドライバ４００は、タイミングコントローラ２００からデータ制御信号ＣＯＮＴ２及び補正画像データＤＡＴ’を受信し、補正画像データＤＡＴ’に対応する階調電圧を選択して液晶パネル６００に提供する。
【００２７】
ゲートドライバ５００は、タイミングコントローラ２００から提供されたゲート制御信号ＣＯＮＴ１に応答して外部から入力されたゲートオン電圧Ｖｏｎ／ゲートオフ電圧Ｖｏｆｆを複数のゲートラインＧ１−Ｇｎに順次に出力する。
【００２８】
液晶パネル６００は、複数のゲートラインＧ１−Ｇｎ、複数のデータラインＤ１−Ｄｍ、および各ゲートラインＧ１−ＧｎとデータラインＤ１−Ｄｍとが交差する領域に形成された画素（ＰＸ）を含む。
【００２９】
複数のゲートラインＧ１−Ｇｎは、行方向に延びて互いにほぼ平行しており、複数のデータラインＤ１−Ｄｍは、列方向に延びて互いにほぼ平行している。複数のゲートラインＧ１−Ｇｎには、ゲートドライバ５００から出力されたゲートオン電圧Ｖｏｎ／ゲートオフ電圧Ｖｏｆｆが印加され、複数のデータラインＤ１−Ｄｍには、データドライバ４００から出力されたデータ電圧が印加される。したがって、データ電圧が各画素に印加されれば、データ電圧と共通電圧Ｖｃｏｍとの差に相応する分、光が透過されて所定の映像が表示される。
【００３０】
一方、階調電圧発生部７００は、駆動電圧ＡＶＤＤが印加されるノードとグラウンドとの間に直列に連結された複数の抵抗（図示せず）を含み、前記駆動電圧ＡＶＤＤの電圧レベルを分配して複数の階調電圧を生成する。なお、階調電圧発生部７００の内部回路はこれに限定されず、多様に具現されうる。
【００３１】
このような液晶表示装置１０は、タイミングコントローラ２００がビット拡張によってガンマ補正を行い、ディザリング処理して補正画像データＤＡＴ’をデータドライバ４００に提供すれば、補正画像データＤＡＴ’は、一回のディザリング処理を経るのみなので、複数のディザリング処理によるノイズ発生を防止し、表示品質を向上させることができる。
【００３２】
以下、図２ないし図９を参照して、本発明の実施形態による液晶表示装置について詳細に説明する。
【００３３】
まず、図２ないし図５を参照して本発明の一実施形態による液晶表示装置について説明する。図２は、本発明の一実施形態による液晶表示装置のグラフィックコントローラとタイミングコントローラとを説明するためのブロック図であり、図３は、図２の変換データセットの伝送を説明するための信号図であり、図４は、変換データを説明するためのグラフであり、図５は、図２のディザリング処理部を説明するための図面である。説明の便宜上、図２において、ＤＥ信号、水平同期信号Ｈｓｙｎｃ、垂直同期信号Ｖｓｙｎｃ、メインクロックＭｃｌｋは省略した。また、図２には、原画像データがｍビットであり、変換データがｎビット（ｎ≧ｍ）と示されているが、以下では、説明の便宜のため、原画像データが８ビットであり、変換データが１０ビットである場合を例として説明する。なお、原画像データならびに変換データは前記ビット数に限定されるものではない。
【００３４】
図２を参照すれば、タイミングコントローラ２０１は、グラフィックコントローラ１０１から原画像データＤＡＴのガンマ特性を変換するための変換データセットＬＵＴ＿ＡＣＣを受信し、受信した変換データセットＬＵＴ＿ＡＣＣをメモリ部３０１に保存する。さらに、タイミングコントローラ２０１は、原画像データＤＡＴを受信し、ガンマ特性が変換された補正画像データＤＡＴ’を出力する。以下、タイミングコントローラ２０１を具体的に説明する。
【００３５】
タイミングコントローラ２０１は、ガンマ変換部２１０とディザリング処理部２２０とを備える。
【００３６】
ガンマ変換部２１０は、グラフィックコントローラ１０１から提供された変換データセットＬＵＴ＿ＡＣＣをメモリ部３０１に保存する。
【００３７】
ここで、図３を参照してグラフィックコントローラ１０１からの変換データセットＬＵＴ＿ＡＣＣの伝送について説明すれば、変換データセットＬＵＴ＿ＡＣＣはフレームブランク（Ｆｌａｍｅ  Ｂｌａｎｋ）区間の間にグラフィックコントローラ１０１から出力される。
【００３８】
より具体的に説明すれば、グラフィックコントローラ１０１は、フレームブランク（Ｆｌａｍｅ  Ｂｌａｎｋ）区間の開始後に、マスキングビット（Ｍａｓｋｉｎｇ）を伝送する。例えば、複数のビットを０にマスキングして変換データセットＬＵＴ＿ＡＣＣの提供をタイミングコントローラ２０１に知らせる。次いで、フラグ（ＦＬＡＧ）を伝送する。ここで、フラグ（ＦＬＡＧ）は、変換データセットＬＵＴ＿ＡＣＣの特性を示す。例えば、フラグ（ＦＬＡＧ）は、変換データセットＬＵＴ＿ＡＣＣの種類、長さ（ｓｉｚｅ）などの特性を示す。次いで、変換データセットＬＵＴ＿ＡＣＣを伝送する。変換データセットＬＵＴ＿ＡＣＣは、複数の変換データＤＡＴ＿ＡＣＣを含む。１つの原画像データＤＡＴと変換データＤＡＴ＿ＡＣＣは、一対一で対応して、原画像データＤＡＴは８ビットであるために、変換データセットＬＵＴ＿ＡＣＣは、２５６個の変換データＤＡＴ＿ＡＣＣを含む。
【００３９】
ここで、タイミングコントローラ２０１は、たとえば、１つのメインクロック当り８ビットのデータを受信するので、２回のメインクロックの間に１つの１０ビットの変換データＤＡＴ＿ＡＣＣを受信する。すなわち、ガンマ変換部２１０は、２５６個の変換データＤＡＴ＿ＡＣＣを含む変換データセットＬＵＴ＿ＡＣＣを、５１２回のメインクロックによって入力される。そして、ガンマ変換部２１０は、変換データセットＬＵＴ＿ＡＣＣをメモリ部３０１に保存するが、その際、１０ビットの変換データＤＡＴ＿ＡＣＣ単位でメモリ部３０１に保存する。原画像データＤＡＴと一対一で対応し、原画像データＤＡＴのガンマ特性を変換させる変換データＤＡＴ＿ＡＣＣについては、図４を参照して後述する。
【００４０】
次いで、グラフィックコントローラ１０１は、ＤＥ信号がハイレベルの区間の間に原画像データＤＡＴをタイミングコントローラ２０１に提供する。
【００４１】
ガンマ変換部２１０は、提供された原画像データＤＡＴに対応する１０ビットの変換データＤＡＴ＿ＡＣＣをメモリ部３０１から読出し（ｒｅａｄ）、変換データＤＡＴ＿ＡＣＣをディザリング処理部２２０に提供する。ここで、原画像データＤＡＴは、メモリ部３０１から１０ビットの変換データＤＡＴ＿ＡＣＣを読出す（ｒｅａｄ）ためのアドレス信号となりうる。
【００４２】
ディザリング処理部２２０は、１０ビットの変換データＤＡＴ＿ＡＣＣを受信し、データドライバ４００が処理可能な８ビットの補正画像データＤＡＴ’をデータドライバ４００に提供する。このようなディザリング処理部２２０の動作は、図５を参照して後述する。
【００４３】
図４は、原画像データＤＡＴと一対一で対応し、原画像データＤＡＴのガンマ特性を変換させる変換データＤＡＴ＿ＡＣＣを説明するためのグラフである。図４を参照すれば、それぞれｘ軸がグレイ（ｇｒａｙ  ｖａｌｕｅ：濃淡値）、ｙ軸が透過率を表す座標平面にターゲットガンマ曲線（ｔａｒｇｅｔ  ｇａｍｍａ  ｃｕｒｖｅ）ＴＧと、原始ガンマ曲線（ｏｒｉｇｉｎａｌ  ｇａｍｍａ  ｃｕｒｖｅ）Ｇ１が示されている。原始ガンマ曲線Ｇ１は、原画像データＤＡＴのグレイに対応する透過率を有する曲線であり、ターゲットガンマ曲線ＴＧは、原画像データＤＡＴのグレイに対応して原始ガンマ曲線Ｇ１の透過率と異なる透過率を有する曲線である。
【００４４】
提供された原画像データＤＡＴのグレイが１２８であり、１２８グレイに対応するターゲットガンマ曲線ＴＧ上の特定透過率Ｔが存在するとき、変換データＤＡＴ＿ＡＣＣのグレイは、原始ガンマ曲線Ｇ１上の特定透過率Ｔに対応するグレイである１２９．４である。すなわち、１２８グレイの原画像データＤＡＴを１２９．４グレイの変換データＤＡＴ＿ＡＣＣに補正すれば、ガンマ特性が原始ガンマ曲線Ｇ１からターゲットガンマ曲線ＴＧに変わる。すなわち、変換データＤＡＴ＿ＡＣＣは、複数の原画像データＤＡＴが複数の変換データＤＡＴ＿ＡＣＣと一対一で対応するデータであり、原画像データＤＡＴと異なるガンマ特性を有するデータである。
【００４５】
図２に戻って、このような複数の変換データＤＡＴ＿ＡＣＣを含む変換データセットＬＵＴ＿ＡＣＣがグラフィックコントローラ１０１から提供されれば、ガンマ変換部２１０は、メモリ部３０１に複数の変換データＤＡＴ＿ＡＣＣを保存させ、原画像データＤＡＴが入力されれば、それに対応する変換データＤＡＴ＿ＡＣＣを出力し、ガンマ特性を変換させうる。
【００４６】
ここで、ガンマ変換の精度を高めるために、少数点以下のグレイは、ビット数を増やすことによって表される。例えば、原画像データＤＡＴは、８ビット、１２８グレイであるために、１０００００００となり、変換データＤＡＴ＿ＡＣＣは、１２９．４グレイであるために、これを１０ビットで表現すれば、１００００００１０１となりうる。すなわち、少数点以下のグレイを表現するために２つのビットを追加しうる。但し、本実施形態では８ビットの原画像データＤＡＴを１０ビットの変換データＤＡＴ＿ＡＣＣにビット拡張する場合を例として説明したものであり、変換データＤＡＴ＿ＡＣＣのビットは、原画像データＤＡＴのビットと同一であるか、または１０以上のビットに拡張されうるということは自明である。
【００４７】
図５を参照して、１０ビットの変換データＤＡＴ＿ＡＣＣを８ビットの補正画像データＤＡＴ’に変換するディザリング処理部２２０について説明する。
【００４８】
１０ビットの変換データＤＡＴ＿ＡＣＣは、上位８ビットのデータと下位２ビットのデータとに分けられ、下位２ビットのデータは、００、０１、１０または１１となる。下位２ビットのデータが００である場合、隣接する４個の画素をいずれも上位８ビットのデータで表現すれば良い。そして、下位２ビットのデータが０１である場合、隣接する４つの画素のうち、隣接する３個の画素を上位８ビットのデータで表現し、残りの１つの画素には上位８ビットのデータに１を加算した値を表示する。この場合、隣接する４個の画素では平均的に下位２ビットが０１である場合となる。この際、フリッカ（ｉｍａｇｅ  ｆｌｉｃｋｅｒｉｎｇ）が発生しないように、上位８ビット＋１に該当する画素の位置を図５に示したようにフレームに沿って移動させれば良い。
【００４９】
同様に、下位２ビットが１０である場合には、隣接する４個の画素のうち、２個の画素を上位８ビット＋１のデータで表示し、下位２ビットが１１である場合には、３個の画素を上位８ビット＋１のデータで表示すれば良い。そして、この場合にも、図５で示すように、フリッカが発生しないように８ビット＋１のデータで表示される画素の位置をフレームによって変更させればよい。なお、図５では、４ｎ、４ｎ＋１、４ｎ＋２、４ｎ＋３の４個のフレームに沿って画素の位置を変更している。
【００５０】
図６及び図７を参照して、本発明の他の実施形態による液晶表示装置を説明する。図６は、本発明の他の実施形態による液晶表示装置のグラフィックコントローラとタイミングコントローラとを説明するためのブロック図であり、図７は、変換データセットの伝送を説明するための信号図である。図２及び図３に示された構成要素と同じ機能の構成要素については、同じ図面符号を使用し、説明の便宜上、該当構成要素についての詳細な説明は省略する。
【００５１】
図６及び図７を参照すれば、グラフィックコントローラ（図示せず）は、Ｒ（赤）、Ｇ（緑）、Ｂ（青）各色の原画像データ（ＤＡＴ＿Ｒ、ＤＡＴ＿Ｂ、ＤＡＴ＿Ｂ）にそれぞれ対応して、Ｒ変換データセットＬＵＴ＿ＡＣＣ＿Ｒ、Ｇ変換データセットＬＵＴ＿ＡＣＣ＿Ｇ、及びＢ変換データセットＬＵＴ＿ＡＣＣ＿Ｂをフレームブランク（Ｆｌａｍｅ  Ｂｌａｎｋ）区間にタイミングコントローラ２０２に提供する。ここで、Ｒ変換データセットＬＵＴ＿ＡＣＣ＿Ｒ、Ｇ変換データセットＬＵＴ＿ＡＣＣ＿Ｇ、及びＢ変換データセットＬＵＴ＿ＡＣＣ＿Ｂは、各々複数のＲ、Ｇ、Ｂの原画像データ（ＤＡＴ＿Ｒ、ＤＡＴ＿Ｇ、ＤＡＴ＿Ｂ）に一対一で対応する複数のＲ変換データＤＡＴ＿ＡＣＣ＿Ｒ、Ｇ変換データＤＡＴ＿ＡＣＣ＿Ｇ、Ｂ変換データＤＡＴ＿ＡＣＣ＿Ｂを含む。
【００５２】
タイミングコントローラ２０２は、Ｒガンマ変換部２１１と、Ｇガンマ変換部２１２、及びＢガンマ変換部２１３を含む。Ｒガンマ変換部２１１、Ｇガンマ変換部２１２、Ｂガンマ変換部２１３は、それぞれＲ変換データセットＬＵＴ＿ＡＣＣ＿Ｒ、Ｇ変換データセットＬＵＴ＿ＡＣＣ＿Ｇ、及びＢ変換データセットＬＵＴ＿ＡＣＣ＿Ｂが各々入力されて、それらの変換データセットをメモリ部３０２に保存する。ここで、図７に示すように、フラグ（ＦＬＡＧ＿Ｒ、ＦＬＡＧ＿Ｇ、ＦＬＡＧ＿Ｂ）は、順次に入力される変換データセット（ＬＵＴ＿ＡＣＣ＿Ｒ、ＬＵＴ＿ＡＣＣ＿Ｇ、ＬＵＴ＿ＡＣＣ＿Ｂ）がＲ、Ｇ、Ｂのうち、いずれか１つに対する変換データセットであるかを示す。したがって、Ｒガンマ変換部２１１、Ｇガンマ変換部２１２、及びＢガンマ変換部２１３は、グラフィックコントローラ（図示せず）から提供されるＲ変換データセットＬＵＴ＿ＡＣＣ＿Ｒ、Ｇ変換データセットＬＵＴ＿ＡＣＣ＿Ｇ、及びＢ変換データセットＬＵＴ＿ＡＣＣ＿Ｂのうち、フラグ（ＦＬＡＧ＿Ｒ、ＦＬＡＧ＿Ｇ、ＦＬＡＧ＿Ｂ）によっていずれか１つの変換データセットを選択して入力されうる。
【００５３】
次いで、Ｒ原画像データＤＡＴ＿Ｒ、Ｇ原画像データＤＡＴ＿Ｂ、Ｂ原画像データＤＡＴ＿Ｂが入力されれば、Ｒガンマ変換部２１１、Ｇガンマ変換部２１２、及びＢガンマ変換部２１３は各々原画像データに対応するＲ変換データＤＡＴ＿ＡＣＣ＿Ｒ、Ｇ変換データＤＡＴ＿ＡＣＣ＿Ｇ、Ｂ変換データＤＡＴ＿ＡＣＣ＿Ｂを読み出してディザリング処理部２２０に提供する。
【００５４】
ディザリング処理部２２０は、提供されたｍビット（たとえば、１０ビット）のＲ変換データＤＡＴ＿ＡＣＣ＿Ｒ、Ｇ変換データＤＡＴ＿ＡＣＣ＿Ｇ、Ｂ変換データＤＡＴ＿ＡＣＣ＿Ｂをディザリングしてｎビット（たとえば、８ビット）のＲ補正画像データＤＡＴ’＿Ｒ、Ｇ補正画像データＤＡＴ’＿Ｇ、Ｂ補正画像データＤＡＴ’＿Ｂを各々出力する。
【００５５】
このような液晶表示装置は、Ｒ画像データＤＡＴ＿Ｒ、Ｇ画像データＤＡＴ＿Ｂ、Ｂ画像データＤＡＴ＿Ｂ別にガンマ変換するので、表示品質を向上させることができる。
【００５６】
図８及び図９を参照して本発明のさらに他の実施形態による液晶表示装置を説明する。図８は、本発明のさらに他の実施形態による液晶表示装置のタイミングコントローラを説明するためのブロック図であり、図９は、図８のデータ変換部を説明するためのグラフである。図８には、原画像データがｍビット、変換データがｎビット（ｎ≧ｍ）と示されているが、以下では、原画像データ及び変換データがいずれも８ビットである場合を例として説明する。但し、原画像データ及び変換データのビット数は、これに限定されない。
【００５７】
図８を参照すれば、タイミングコントローラ２０３は、変換データセットＬＵＴ＿ＤＣＣを受信し、提供された変換データセットＬＵＴ＿ＤＣＣをメモリ部３０３に保存する。タイミングコントローラ２０３は、ｎ番目フレーム（第１フレーム）の原画像データＤＡＴｎ、第１フレームの前のｎ−１番目フレーム（第２フレーム）の原画像データＤＡＴｎ−１、及び変換データＤＡＴ＿ＤＣＣを用いて、補正画像データＤＡＴ’ｎを出力するデータ変換部２３０と、フレームメモリ３０４と、を含む。
【００５８】
具体的に説明すれば、まずグラフィックコントローラはフレームブランク区間に液晶の応答速度向上のための変換データセットＬＵＴ＿ＤＣＣを提供する。
【００５９】
データ変換部２３０は、変換データセットＬＵＴ＿ＤＣＣをメモリ部３０３に保存し、原画像データＤＡＴｎ及び以前フレーム（第２フレーム）の原画像データＤＡＴｎ−１を受信する。フレームメモリ３０４は、以前フレームの原画像データＤＡＴｎ−１を１フレーム間保存した後、データ変換部２３０に提供する。
【００６０】
データ変換部２３０は、以前フレームの原画像データＤＡＴｎ−１と原画像データＤＡＴｎとの対（ｐａｉｒ）と対応する変換データＤＡＴ＿ＤＣＣをメモリ部３０３から読出し、原画像データＤＡＴｎを補正して補正画像データＤＡＴ’ｎを出力する。
【００６１】
変換データＤＡＴ＿ＤＣＣは、原画像データＤＡＴｎのグレイと以前フレームの原画像データＤＡＴｎ−１のグレイとの差が所定の基準値以上である場合に、そのような原画像データＤＡＴｎと以前フレームの原画像データＤＡＴｎ−１との対と対応して存在しうる。
【００６２】
図８及び図９を参照してさらに具体的に説明すれば、ｘ軸はフレームを、ｙ軸はグレイを示し、第１グラフィックＧ１は、データ変換部２３０に入力される以前フレームｎ−１の原画像データＤＡＴｎ−１及び原画像データＤＡＴｎのグレイを示し、第２グラフィックＧ２は、データ変換部２３０から出力される補正画像データＤＡＴ’ｎのグレイを示す。
【００６３】
以前フレームｎ−１の原画像データＤＡＴｎ−１のグレイと原画像データＤＡＴｎのグレイとの差が所定の基準値Ｓ以上である場合、例えば、原画像データＤＡＴｎのグレイが以前フレームｎ−１の原画像データＤＡＴｎ−１のデータより基準値Ｓより大きい場合（Ｇｒａｙ２−Ｇｒａｙ１＞Ｓ）、データ変換部２３０は、原画像データＤＡＴｎを補正し、原画像データＤＡＴｎのグレイより大きい第３グレイ（Ｇｒａｙ３）の補正画像データＤＡＴ’ｎを出力する。
【００６４】
ここで、補正画像データＤＡＴ’ｎは、変換データＤＡＴ＿ＤＣＣと同一であり得る。すなわち、データ変換部２３０は、ｎ−１番目フレームの第１グレイ（Ｇｒａｙ１）の原画像データＤＡＴｎ−１とｎ番目フレームの第２グレイ（Ｇｒａｙ２）の原画像データＤＡＴｎの対に対応する第３グレイ（Ｇｒａｙ３）の変換データＤＡＴ＿ＤＣＣをメモリ部３０３から読み出す。そして、データ変換部２３０は、補正画像データＤＡＴ’ｎ−１として変換データＤＡＴ＿ＤＣＣを出力する。すなわち、変換データセットＬＵＴ＿ＤＣＣは、ｎ−１番目フレームの原画像データＤＡＴｎ−１のグレイとｎ番目フレームの原画像データＤＡＴｎのグレイとの差が所定の基準値Ｓ以上である場合のみ、ｎ−１番目フレームの原画像データＤＡＴｎ−１とｎ番目フレームの原画像データＤＡＴｎとの対に対応する変換データＤＡＴ＿ＤＣＣを含みうる。但し、ｎ−１番目フレームの原画像データＤＡＴｎ−１及びｎ番目フレームの原画像データＤＡＴｎの対と変換データＤＡＴ＿ＤＣＣの対応関係はこれに限定されない。
【００６５】
このような過程を経て、原画像データＤＡＴｎのグレイより高い第３グレイＧｒａｙ３の補正画像データＤＡＴ’ｎが液晶パネル（図１の６００参照）に印加されれば、液晶に高い電圧が印加され、液晶分子が迅速に配向（ｔｉｌｔ）する。すなわち、このように液晶の応答速度を増加させることによって、液晶表示装置（図１の１０参照）の表示品質を向上させうる。但し、図９は、応答速度向上のためのデータ変換の一例であり、本発明はこれに限定されない。
【００６６】
以下、図１０及び図１１を参照して本発明のさらに他の実施形態による液晶表示装置を説明する。図１０は、本発明のさらに他の実施形態による液晶表示装置を説明するためのブロック図であり、図１１は、変換データセットの伝送を説明するための信号図である。図２、図３及び図８に示された構成要素と同じ機能を果たす構成要素については、同じ図面符号を使用し、説明の便宜上、該当構成要素についての詳細な説明は省略する。また、図１０には、原画像データがｍビット、第１変換データがｎビット（ｎ≧ｍ）、そして、第２変換データがｋビットと示しているが、以下では、説明の便宜のため、原画像データが８ビットであり、第１変換データが１０ビットであり、第２変換データが８ビットである場合を例として説明する。但し、各ビット数はこれに限定されない。
【００６７】
図１０及び図１１を参照すれば、グラフィックコントローラ（図示せず）は、第１変換データセットＬＵＴ＿ＡＣＣと第２変換データセットＬＵＴ＿ＤＣＣとをフレームブランク区間にタイミングコントローラ２０４に提供し、タイミングコントローラ２０４は、第１変換データセットＬＵＴ＿ＡＣＣ及び第２変換データセットＬＵＴ＿ＤＣＣを各々第１メモリ部３０１と第２メモリ部３０３に保存し、原画像データＤＡＴｎを受信して補正画像データＤＡＴ’ｎを出力する。
【００６８】
具体的に説明すれば、まず、グラフィックコントローラ（図示せず）は、ガンマ補正のための第１変換データセットＬＵＴ＿ＡＣＣと液晶の応答速度向上のための第２変換データセットＬＵＴ＿ＤＣＣとを提供する。
【００６９】
第１変換データセットＬＵＴ＿ＡＣＣ及び第２変換データセットＬＵＴ＿ＤＣＣの伝送を図１１を参照してさらに具体的に説明すれば、グラフィックコントローラ（図示せず）は、まずマスキングビットＭａｓｋｉｎｇを提供し、第１フラグＦＬＡＧ＿Ａを提供して、ガンマ変換のための第１変換データセットＬＵＴ＿ＡＣＣが提供されることを知らせる。そして、第１変換データセットＬＵＴ＿ＡＣＣを提供した後、第２フラグＦＬＡＧ＿Ｄを提供し、応答速度向上のための第１変換データセットＬＵＴ＿ＡＣＣが提供されることを知らせ、第２変換データセットＬＵＴ＿ＤＣＣを提供する。
【００７０】
タイミングコントローラ２０４は、ガンマ変換部２１０、ディザリング処理部２２０、フレームメモリ３０４、データ変換部２３０、を備える。
【００７１】
ガンマ変換部２１０とデータ変換部２３０は、フレームブランク区間にグラフィックコントローラ（図示せず）が提供する信号のうち、第１フラグＦＬＡＧ＿Ａ及び第２フラグＦＬＡＧ＿Ｄによって、第１変換データセットＬＵＴ＿ＡＣＣまたは第２変換データセットＬＵＴ＿ＤＣＣが選択的に入力される。そして、ガンマ変換部２１０及びデータ変換部２３０は、第１変換データセットＬＵＴ＿ＡＣＣ及び第２変換データセットＬＵＴ＿ＤＣＣを各々第１メモリ部３０１及び第２メモリ部３０３に保存する。
【００７２】
８ビットの原画像データＤＡＴｎが入力されれば、まずガンマ変換部２１０は、第１メモリ部３０１から原画像データＤＡＴｎに対応する１０ビットの第１変換データＤＡＴｎ＿ＡＣＣを読み出し、ディザリング処理部２２０に提供する。
【００７３】
ディザリング処理部２２０は、１０ビットの第１変換データＤＡＴｎ＿ＡＣＣを８ビットの第１補正画像データＤＡＴ’ｎ＿ＡＣＣに変換して、フレームメモリ３０４及びデータ変換部２３０に提供する。
【００７４】
フレームメモリ３０４は、第１補正画像データＤＡＴ’ｎ＿ＡＣＣを１フレーム遅延させた後、その遅延されたフレーム（以前フレーム）の第１補正画像データＤＡＴ’ｎ−１＿ＡＣＣをデータ変換部２３０に提供する。
【００７５】
データ変換部２３０は、第１補正画像データＤＡＴ’ｎ＿ＡＣＣと以前フレームの第１補正画像データＤＡＴ’ｎ−１＿ＡＣＣとを受信し、第１補正画像データＤＡＴ’ｎ＿ＡＣＣと以前フレームの第１補正画像データＤＡＴ’ｎ−１＿ＡＣＣとの対に該当する第２変換データＤＡＴ＿ＤＣＣを第２メモリ部３０３から読出す。読出された第２変換データＤＡＴ＿ＤＣＣを用いて第１補正画像データＤＡＴ’ｎ＿ＡＣＣを補正して第２補正画像データＤＡＴ’ｎを出力する。
【００７６】
このような液晶表示装置は、グラフィックコントローラ（図示せず）から提供された変換データセット（ＬＵＴ＿ＡＣＣ、ＬＵＴ＿ＤＣＣ）を用いてタイミングコントローラ２０４で原画像データＤＡＴｎを補正するので、表示品質が向上されうる。言い換えれば、ディザリング過程を１回経るので、ディザリングによるノイズ発生を減らしうる。また、変換データセット（ＬＵＴ＿ＡＣＣ、ＬＵＴ＿ＤＣＣ）は、フレームブランク区間に提供されるので、フレーム毎に変換データセット（ＬＵＴ＿ＡＣＣ、ＬＵＴ＿ＤＣＣ）をアップデートして最適の画質を具現しうる。
【００７７】
図１２を参照して本発明の一実施形態による液晶表示装置の駆動方法を説明する。図１２は、本発明の一実施形態による液晶表示装置の駆動方法を説明するためのフローチャートである。
【００７８】
図１２を参照すれば、まず原画像データ及び変換データセットを提供する（Ｓ１３１）。
【００７９】
ここで、変換データセットは、原画像データのガンマ特性を変換させるか、または液晶の応答速度を向上させるためのものであって、両方の目的を達成させるために第１変換データセット及び第２変換データセットを含みうる。変換データセットは、原画像データが提供されないフレームブランク区間に提供されうる。さらに具体的に説明すれば、フレームブランク区間を開始した後、０にビットマスキングし、変換データセットの特性を示すフラグを提供し、変換データを提供しうる。
【００８０】
次いで、変換データセットを用いて、提供された原画像データを補正し、補正画像データを出力する（Ｓ１３２）。
【００８１】
変換データセットは、ｍビットの原画像データに対応するｎビット（ｎ≧ｍ）の補正画像データを含みうるが、このような補正画像データを用いてｍビットの補正画像データを出力する。
【００８２】
次いで、補正画像データに該当する階調電圧を選択して液晶パネル６００に提供する（Ｓ１３３）。
【００８３】
そして、提供された階調電圧の電圧レベルに応じて映像を表示する（Ｓ１３４）。
【００８４】
以上、添付する図面を参照して本発明の実施形態を説明したが、本発明が属する技術分野における通常の知識を有する者であれば、本発明がその技術的思想や必須特徴を変更せずとも他の具体的な形に実施されうるということが理解できるであろう。したがって、前述した実施形態は全ての面で例示的なものであって、限定的なものではないと理解せねばならない。
【産業上の利用可能性】
【００８５】
本発明は、液晶表示装置及びその駆動方法に利用されうる。
【図面の簡単な説明】
【００８６】
【図１】本発明の複数の実施形態による液晶表示装置を説明するためのブロック図である。
【図２】本発明の一実施形態による液晶表示装置のグラフィックコントローラとタイミングコントローラとを説明するためのブロック図である。
【図３】図２の変換データセットの伝送を説明するための信号図である。
【図４】変換データを説明するためのグラフである。
【図５】図２のディザリング処理部を説明するための図面である。
【図６】本発明の他の実施形態による液晶表示装置のグラフィックコントローラとタイミングコントローラとを説明するためのブロック図である。
【図７】変換データセットの伝送を説明するための信号図である。
【図８】本発明のさらに他の実施形態による液晶表示装置のタイミングコントローラを説明するためのブロック図である。
【図９】図８のデータ変換部を説明するためのグラフである。
【図１０】本発明のさらに他の実施形態による液晶表示装置を説明するためのブロック図である。
【図１１】変換データセットの伝送を説明するための信号図である。
【図１２】本発明の一実施形態による液晶表示装置の駆動方法を説明するためのフローチャートである。
【符号の説明】
【００８７】
２０４    タイミングコントローラ、
２１０    ガンマ変換部、
２２０    ディザリング処理部、
２３０    データ変換部、
３０１    第１メモリ部、
３０３    第２メモリ部、
３０４    フレームメモリ、
ＬＵＴ＿ＡＣＣ    第１変換データセット、
ＬＵＴ＿ＤＣＣ    第２変換データセット、
ＤＡＴｎ    原画像データ、
ＤＡＴ’ｎ−１    補正画像データ。
【図１２】
2008096954.tif 000003
【図１】
2008096954.tif 000004
【図２】
2008096954.tif 000005
【図３】
2008096954.tif 000006
【図４】
2008096954.tif 000007
【図５】
2008096954.tif 000008
【図６】
2008096954.tif 000009
【図７】
2008096954.tif 000010
【図８】
2008096954.tif 000011
【図９】
2008096954.tif 000012
【図１０】
2008096954.tif 000013
【図１１】
2008096954.tif 000014